(57)【特許請求の範囲】
【請求項１】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムを回転させる回転手段と、巻き取りドラムの逆転を禁止する禁止手段と、この禁止手段の逆転禁止を解除する解除手段と、逆転禁止が解除された状態の禁止手段を元に復帰させる復帰手段とを具備しており、禁止手段は、巻き取りドラムの外周部に形成された歯に係合する爪部材と、巻き取りドラムの正転においては歯への係合を断続的に解除するように爪部材を備えている回動自在なアーム部材と、爪部材の歯への係合を維持するべく、アーム部材の一端に当接してアーム部材の一方の方向の回動を阻止する変位自在な維持手段とを具備しており、解除手段は、手動操作によりアーム部材の一端の維持手段への当接を解除するべく、維持手段を変位させるようになっており、復帰手段は、アーム部材の他端に設けられた突起と、回転手段による巻き取りドラムの回転の際に、前記突起への当接によりアーム部材を他方の方向に回動させるように、回転手段に設けられた突起とを具備している窓開閉操作装置。
【請求項２】
爪部材は、歯に係合する方向に弾性力により付勢されてアーム部材に揺動自在に取り付けられている請求項１に記載の窓開閉操作装置。
【請求項３】
アーム部材は、一方の方向に回動するように弾性力により付勢されている請求項１又は２に記載の窓開閉操作装置。
【請求項４】
維持手段は、揺動自在に支持された揺動自在部材と、アーム部材の一方の方向の回動を阻止する揺動方向に揺動自在部材を弾性的に付勢する弾性手段とを具備している請求項１から３のいずれか一項に記載の窓開閉操作装置。
【請求項５】
巻き取りドラムの逆転における当該巻き取りドラムの回転速度を抑える制動手段を更に具備している請求項１から４のいずれか一項に記載の窓開閉操作装置。
【請求項６】
回転手段は、折り畳み自在な操作ハンドルと、この操作ハンドルが折り畳み解除された際には、操作ハンドルの回転を巻き取りドラムの軸部に伝達できるように、巻き取りドラムの軸部に係合し、操作ハンドルが折り畳まれた際には、巻き取りドラムの軸部への係合を解除する自動解除付き回転伝達手段とを具備している請求項１から５のいずれか一項に記載の窓開閉操作装置。
【請求項７】
操作ハンドルは、一端部で巻き取りドラムの軸部の回りで回転自在となるように配されたハンドル基部と、このハンドル基部の他端部に、一端部がヒンジ連結されたハンドル部と、このハンドル部の他端部に取り付けられた把持部とを具備しており、自動解除付き回転伝達手段は、巻き取りドラムの軸部に形成された凹凸部と、ハンドル基部に摺動自在に配されて、凹凸部に係合自在な凸部を備えたスライド体と、凸部の凹凸部への係合を解除する方向にスライド体を弾性的に付勢する弾性係合解除手段と、ハンドル部の一端部に形成されており、操作ハンドルが折り畳み解除される際にスライド体に当接して、凸部を凹凸部に係合させる方向に弾性係合解除手段の弾性力に抗してスライド体を摺動させるカム面とを具備している請求項６に記載の窓開閉操作装置。
【請求項８】
操作ハンドルの把持部は、解除手段を兼ねている請求項７に記載の窓開閉操作装置。
【発明の詳細な説明】
【０００１】
【発明の属する技術分野】
本発明は、常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置に関する。
【０００２】
【発明が解決しようとする課題】
窓開閉操作装置としては、実公平６−１３９８２号公報に記載されているものがあるが、この公報に記載された窓開閉操作装置では、巻き取りドラムに形成されたラチェットホイールに係合する二つの爪部材を設けて、ワイヤを巻き取りドラムに巻き取る際には、一方の爪部材をラチェットホイールに係合させて、巻き取りドラムの逆転を禁止（ロック）し、ワイヤを巻き取りドラムから繰り出す際には、押しボタンの操作により一方の爪部材とラチェットホイールとの係合を解除（ロック解除）して、他方の爪部材をラチェットホイールに係合させ、繰り出し後のワイヤの巻き取りにおいては、他方の爪部材とラチェットホイールとの係合により押しボタンの自動復帰を行わせるようにしている。
【０００３】
ところで、公報に記載の窓開閉操作装置においては、ラチェットホイールの回転で、他方の爪部材をラチェットホイールの係止歯から押し出すようにして押しボタンの自動復帰を行っているために、他方の爪部材とラチェットホイールの係止歯との間の摩擦が大きいと、押しボタンの自動復帰がスムーズに行われない虞があり、また、他方の爪部材とラチェットホイールの係止歯との係合角が浅いものでないと、他方の爪部材をラチェットホイールの係止歯から押し出すことが困難となり、他方の爪部材がラチェットホイールの回転に対しての突っ張り部材となり、結局、上記と同様に、押しボタンの自動復帰をスムーズに且つ信頼性をもって行い得ない場合が生じ得る。
【０００４】
また、二つの爪部材を設けるために構造が複雑となり、しかも、この二つの爪部材及びラチェットホイールの係止歯を上記の不都合が生じないように、設計、調整しなければならないために、コストアップになる虞がある。
【０００５】
更に、公報に記載の窓開閉操作装置においては、操作ハンドルは着脱式となっているために、操作ハンドルの紛失等により障子を閉鎖できなくなる場合があり、それ程実用的であるとは言えず、加えて、不注意により操作ハンドルを取り付けけたままでロック解除が行われると、操作ハンドルの飛び出し又は操作指の操作ハンドルへの巻き込み等が生じ、思わぬ事故の原因となる虞がある。
【０００６】
本発明は、前記諸点に鑑みてなされたものであって、その目的とするところは、設計、調整が容易であって、コスト低減を図り得る窓開閉操作装置を提供することにある。
【０００７】
本発明の他の目的とするところは、巻き取りドラムの逆転を禁止する禁止手段をスムーズに元に復帰させることができる窓開閉操作装置を提供することにある。
【０００８】
本発明の更に他の目的とするところは、操作ハンドルの紛失等を生じさせることがなく、しかも、操作ハンドルの折り畳みにより、操作ハンドルと巻き取りドラムとの連結を自動的に解除できる窓開閉操作装置を提供することにある。
【０００９】
本発明の更に他の目的とするところは、操作ハンドルの飛び出し又は操作指の操作ハンドルへの巻き込み等を生じさせない安全な窓開閉操作装置を提供することにある。
【００１０】
【課題を解決するための手段】
本発明の第一の態様の窓開閉操作装置は、常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムを回転させる回転手段と、巻き取りドラムの逆転を禁止する禁止手段と、この禁止手段の逆転禁止を解除する解除手段と、逆転禁止が解除された状態の禁止手段を元に復帰させる復帰手段とを具備しており、禁止手段は、巻き取りドラムの外周部に形成された歯に係合する爪部材と、巻き取りドラムの正転においては歯への係合を断続的に解除するように爪部材を備えている回動自在なアーム部材と、爪部材の歯への係合を維持するべく、アーム部材の一端に当接してアーム部材の一方の方向の回動を阻止する変位自在な維持手段とを具備しており、解除手段は、手動操作によりアーム部材の一端の維持手段への当接を解除するべく、維持手段を変位させるようになっており、復帰手段は、アーム部材の他端に設けられた突起と、回転手段による巻き取りドラムの回転の際に、前記突起への当接によりアーム部材を他方の方向に回動させるように、回転手段に設けられた突起とを具備している。
【００１１】
本発明の第一の態様の窓開閉操作装置では、巻き取りドラムを回転させる回転手段を具備し、復帰手段がアーム部材の他端に設けられた突起と、回転手段による巻き取りドラムの回転の際に、前記突起への当接によりアーム部材を他方の方向に回動させるように、回転手段に設けられた突起とを具備しているために、操作ハンドルの紛失等を生じさせることがなく、操作ハンドルの飛び出しを避けることができ、しかも、巻き取りドラムの逆転を禁止する禁止手段をスムーズに元に復帰させることができる上、単一の爪部材の歯への係合、非係合により、巻き取りドラムの逆転禁止、解除を行い得るために、設計、調整を簡単に行い得る。
【００１２】
本発明の第二の態様の窓開閉操作装置では、第一の態様の窓開閉操作装置において、爪部材は、歯に係合する方向に弾性力により付勢されてアーム部材に揺動自在に取り付けられている。
【００１３】
第二の態様の窓開閉操作装置によれば、巻き取りドラムの正転においても、爪部材と歯との断続的な係合を確保できるために、巻き取りドラムを正転させるための回転力の回転手段への付与を停止しても、直ちに巻き取りドラムの逆転を禁止できる。
【００１４】
本発明の第三の態様の窓開閉操作装置では、第一又は第二の態様の窓開閉操作装置において、アーム部材は、他の弾性手段により他の回動位置に向かって回動するように付勢されている。
【００１５】
本発明の第四の態様の窓開閉操作装置では、上記のいずれかの態様の窓開閉操作装置において、維持手段は、揺動自在に支持された揺動自在部材と、アーム部材の一方の方向の回動を阻止する揺動方向に揺動自在部材を弾性的に付勢する弾性手段とを具備している。
【００１６】
本発明の第五の態様の窓開閉操作装置では、上記のいずれかの態様の窓開閉操作装置において、巻き取りドラムの逆転における当該巻き取りドラムの回転速度を抑える制動手段を更に具備している。
【００１７】
第五の態様の窓開閉操作装置によれば、このような制動手段を備えることにより、障子の開放を制御された速度にでき、障子の最大開放におけるストッパ部材への激突を避けることができ、障子及びその硝子並びにストッパ部材等の損壊を好ましく防止できる。
【００１８】
本発明の第六の態様の窓開閉操作装置では、上記のいずれかの態様の窓開閉操作装置において、回転手段は、折り畳み自在な操作ハンドルと、この操作ハンドルが折り畳み解除された際には、操作ハンドルの回転を巻き取りドラムの軸部に伝達できるように、巻き取りドラムの軸部に係合し、操作ハンドルが折り畳まれた際には、巻き取りドラムの軸部への係合を解除する自動解除付き回転伝達手段とを具備している。
【００１９】
第六の態様の窓開閉操作装置によれば、自動解除付き回転伝達手段を具備しているために、操作ハンドルの折り畳みにより、操作ハンドルと巻き取りドラムとの連結を自動的に解除でき、操作指の操作ハンドルへの巻き込み等を生じさせない安全なものを提供することができる。
【００２０】
本発明の第七の態様の窓開閉操作装置では、第六の態様の窓開閉操作装置において、操作ハンドルは、一端部で巻き取りドラムの軸部の回りで回転自在となるように配されたハンドル基部と、このハンドル基部の他端部に、一端部がヒンジ連結されたハンドル部と、このハンドル部の他端部に取り付けられた把持部とを具備しており、自動解除付き回転伝達手段は、巻き取りドラムの軸部に形成された凹凸部と、ハンドル基部に摺動自在に配されて、凹凸部に係合自在な凸部を備えたスライド体と、凸部の凹凸部への係合を解除する方向にスライド体を弾性的に付勢する弾性係合解除手段と、ハンドル部の一端部に形成されており、操作ハンドルが折り畳み解除される際にスライド体に当接して、凸部を凹凸部に係合させる方向に弾性係合解除手段の弾性力に抗してスライド体を摺動させるカム面とを具備している。
【００２１】
第七の態様の窓開閉操作装置によれば、実質的にハンドル基部に自動解除付き回転伝達手段を収容でき、折り畳まれた操作ハンドルの厚みを薄くでき、コンパクトな操作ハンドルを有した窓開閉操作装置を提供できる。
【００２２】
本発明の第八の態様の窓開閉操作装置では、第七の態様の窓開閉操作装置において、操作ハンドルの把持部は、解除手段を兼ねている。
【００２３】
第八の態様の窓開閉操作装置によれば、操作ハンドルを折り畳んで初めて解除手段を作動できるようになる結果、自動解除付き回転伝達手段と相俟って、更に安全なものとすることができる。
【００２４】
【発明の実施の形態】
次に本発明及びその実施の形態を、図に示す好ましい例を参照して更に詳細に説明する。なお、本発明はこの例に何等限定されないのである。
【００２５】
【実施例】
図１から図８において、本例の窓開閉操作装置１は、常時は開放方向にガスステイ２により付勢された障子３に連結されたワイヤ４の一端５が固着された巻き取りドラム６を正転、すなわちＦ方向に回転させることによりワイヤ４を巻き取りドラム６に巻き取って障子３を閉鎖し、ガスステイ２のガス圧及び障子３の自重に基づく障子３への開放付勢力により巻き取りドラム６の逆転、すなわちＲ方向の回転によりワイヤ４を巻き取りドラム６から繰り出して、障子３を開放するようになっている。
【００２６】
なお、本例では、障子３への開放付勢力を、ガスステイ２のガス圧及び障子３の自重により与えているが、これに代えて、障子３の自重のみで与えてもよく、また、板ばね又はコイルばね等により与えてもよい。
【００２７】
各ガスステイ２は、障子３の枠１１と窓枠１２との間に配されており、各障子３を常時そのガス圧により開放方向に付勢している。障子３及び窓枠１２等からなる排煙窓１３の窓枠１２に一端で回動自在に軸支された各障子３の夫々及び窓枠１２には、プーリ１４が取り付けられており、他端１５が窓枠１２に固定されたワイヤ４は、各プーリ１４を通って配索されている。
【００２８】
手動操作可能なように、排煙窓１３の下方の壁面等に配される窓開閉操作装置１は、前記の巻き取りドラム６と、巻き取りドラム６を回転させる回転手段２１と、巻き取りドラム６のＲ方向の回転を禁止する禁止手段２２と、禁止手段２２の逆転禁止を解除する解除手段２３と、巻き取りドラム６のＲ方向の回転における巻き取りドラム６の回転速度を抑える制動手段２４と、逆転禁止が解除された状態の禁止手段２２を元に復帰させる復帰手段２５と、排煙窓１３の下方の壁面等にねじ等により固着される基台２６と、支柱部２７及び鍔付き円筒部２８を一体に有しており、基台２６にねじ及び支柱２７等を介して取り付けられた中間基板２９と、ドラム６、禁止手段２２、復帰手段２５及び中間基板２９等を覆うように、基台２６に着脱自在に取り付けられており、貫通孔３０及び３１を有した化粧カバー３２とを具備している。
【００２９】
巻き取りドラム６は、一端面の中央に軸部３４を一体に有した巻き取りドラム部３５と、巻き取りドラム部３５の他端面にねじ３６等を介して取り付けられており、中央に軸部３７を一体に有した歯付き鍔部３８と、歯付き鍔部３８と同様に、巻き取りドラム部３５の一端面にねじ３９等を介して取り付けられており、軸部３４が貫通する貫通孔４０を有したラチェット歯付き鍔部４１とを具備しており、鍔部４１から突出する軸部３４は、基台２６の孔４２に装着された鍔付きブッシュ４３を介して基台２６に回転自在に支持されており、軸部３７は歯車部４４を有しており、鍔部３８、鍔部４１及び歯車部４４の夫々は、その外周部に歯４５、歯としてのラチェット歯４６及び歯４７を備えている。
【００３０】
巻き取りドラム６は、軸心４８を中心としたＦ方向の回転により、これに一端５が固着されたワイヤ４を巻き取りドラム部３５に巻き取り、解除手段２３の作動で、軸心４８を中心としたＦ方向と逆のＲ方向の回転により、巻き取りドラム部３５に巻き取ったワイヤ４を繰り出すようになっている。
【００３１】
回転手段２１は、折り畳み自在な操作ハンドル５１と、図１、図２及び図３に示す（図２では実線で示す）ように操作ハンドル５１が折り畳み解除された際には、操作ハンドル５１の回転を巻き取りドラム６の軸部３７に伝達できるように、巻き取りドラム６の軸部３７に係合し、図２及び図８に示す（図２では２点鎖線で示す）ように操作ハンドル５１が折り畳まれた際には、巻き取りドラム６の軸部３７への係合を解除する自動解除付き回転伝達手段５２とを具備している。
【００３２】
操作ハンドル５１は、円筒状の一端部６５で巻き取りドラム６の軸部３７の回りで回転自在となるように配されたハンドル基部６６と、ハンドル基部６６の他端部６７に、一端部６８がヒンジ機構６９を介してヒンジ連結されたハンドル部７０と、ハンドル部７０の他端部７１に回転自在に又は固定的に取り付けられた把持部７２とを具備している。
【００３３】
ハンドル基部６６は、前記の円筒状の一端部６５と、スリット７５が形成された板状の中間部７６と、膨大二股状に形成された前記の他端部６７とを一体的に具備しており、一端部６５が、貫通孔３０を貫通した中間基板２９の円筒部２８と巻き取りドラム６の軸部３７との間の環状隙間に鍔付き円筒滑り軸受７３及び７４を介して配されて、軸部３７の軸心４８の回りでＦ及びＲ方向に回転自在とされている。
【００３４】
ハンドル部７０は、膨大に形成された前記の一端部６８を一体的に有して、板体から形成されている。
【００３５】
ヒンジ機構６９は、膨大二股状に形成された他端部６７と、他端部６７間に配された一端部６８とを貫通した軸８１からなり、ハンドル基部６６とハンドル部７０とを折り畳み自在に連結している。
【００３６】
自動解除付き回転伝達手段５２は、巻き取りドラム６の歯車部４４に形成された凹凸部としての前記の歯４７と、ハンドル基部６６のスリット７５にＡ及びＢ方向に摺動自在に配されて、歯４７に係合する凸部としての爪８２を一体的に備えて、中央にスリット８３を有した板状のスライド体８４と、爪８２の歯４７への係合を解除するように、スライド体８４をＢ方向に弾性的に付勢する弾性係合解除手段８５と、ハンドル部７０の一端部６８に形成されており、操作ハンドル５１が折り畳み解除される際にスライド体８４に当接して、爪８２を歯４７に係合させるように、弾性係合解除手段８５の弾性力に抗してスライド体８４をＡ方向に摺動させるカム面８６とを具備している。
【００３７】
弾性係合解除手段８５は、スリット８３に配された弾性手段としてのコイルばね８７と、ハンドル基部６６の中間部７６にねじ８８を介して取り付けられて、曲折された係止部８９を有しており、当該係止部８９がコイルばね８７の一端を係止した係止板９０とを具備しており、コイルばね８７は、他端でスライド体８４に当接して、当該スライド体８４をＢ方向に付勢している。
【００３８】
カム面８６は、スライド体８４の一端に当接するハンドル部６６の一端部６８の外周面からなり、操作ハンドル５１が折り畳まれる際には、コイルばね８７の弾性力によるスライド体８４のＢ方向の摺動を許容し、操作ハンドル５１の折り畳みが順次解除される際には、コイルばね８７の弾性力に抗してスライド体８４をＡ方向に順次摺動させて、爪８２を歯４７に向かって突出させる。
【００３９】
操作ハンドル５１は、折り畳まれている際には、図２に示すように、その把持部７２が化粧カバー３２の貫通孔３１を通って化粧カバー３２内に突出されるようになっている。
【００４０】
回転手段２１は、折り畳み解除された状態で操作ハンドル５１をＦ方向に手動により回転させることにより、爪８２の歯４７への係合を介して、巻き取りドラム６を同じくＦ方向に回転させようになっており、折り畳まれた状態では、爪８２の歯４７への係合を解除して、巻き取りドラム６のＦ及びＲ方向の回転で回転されないようになっている。
【００４１】
禁止手段２２は、巻き取りドラム６の外周部に形成されたラチェット歯４６に係合する爪部材１０１と、巻き取りドラム６のＦ方向の回転においてはラチェット歯４６への係合を解除するように爪部材１０１を備えている回動自在なアーム部材１０２と、一の変位位置、すなわち揺動位置（図６及び図７に示す揺動位置）では、爪部材１０１のラチェット歯４６への係合を維持するべく、アーム部材１０２の一端１０３に当接して、アーム部材１０２のＣ方向の回動を阻止する変位自在な、本例では揺動自在な維持手段１０４と、爪部材１０１をラチェット歯４６に係合する方向に弾性的に付勢する弾性手段１０５と、アーム部材１０２を図９に示す回動位置に向かって回動するように付勢する弾性手段１０６とを具備している。
【００４２】
爪部材１０１は、軸ピン１１１を介してアーム部材１０２の凹所１１２に揺動自在に取り付けられており、凹所１１２によりその揺動限界が規定されるようになっている。
【００４３】
アーム部材１０２は、凹所１１２が形成されたＬ形のアーム本体１１５と、アーム本体１１５に一体に形成された中空の軸受部１１６と、アーム本体１１５の一端に一体に且つ前面に立ち上がって形成されており、一端１０３を有したＬ形状部１１７と、アーム本体１１５の他端に、Ｌ形状部１１７と同様に一体に且つ前面に立ち上がって形成されたＬ形状部１１８とを具備しており、軸受部１１６に挿入されて且つアーム本体１１５を貫通して、一端が基台２６に固着された軸ピン１１９により、当該軸ピン１１９の周りでＣ及びＤ方向に回動となるように、基台２６に取り付けられている。Ｌ形状部１１８は、その一辺部１２０が中間基台２９の前面の一部を覆うように、アーム本体１１５から立ち上がって伸びている。
【００４４】
維持手段１０４は、基台２６に一体に形成された支持部材１２１と、支持部材１２１に、軸ピン１２２を介してＥ及びＧ方向に変位自在、本例では揺動自在に支持された揺動自在部材１２３と、揺動自在部材１２３をＧ方向に弾性的に付勢する弾性手段１２４と、支持部材１２１に一体に形成されたストッパ突起１２５とを具備している。
【００４５】
揺動自在部材１２３は、板状部１２６と、板状部１２６に一体に形成されたアーム部１２７とを具備しており、アーム部１２７に形成された貫通孔１２８を通った軸ピン１２２によりＥ及びＧ方向に揺動自在に支持部材１２１に支持されており、アーム部１２７のストッパ突起１２５への当接により揺動自在部材１２３のＧ方向の揺動限界が規定されている。板状部１２６の側面に、Ｌ形状部１１７の一端１０３が当接するようになっている。
【００４６】
弾性手段１２４は、板状部１２６の一方の面に形成された凹所１３１と基台２６との間に配されたコイルばね１３２を具備しており、コイルばね１３２は、揺動自在部材１２３をＧ方向に弾性的に付勢している。
【００４７】
弾性手段１０５は、一端１４１がアーム本体１１５の一方の側面に形成された窪み１４２に係止されて、他端１４３が爪部材１０１に係止され、中間部１４４が軸ピン１１１の周りに巻かれて配された捩りコイルばね１４５からなる。
【００４８】
弾性手段１０６は、一端１５１がアーム本体１１５の他方の側面に形成された窪み１５２に係止されて、他端１５３が、基台２６に一体に形成された円筒部１５４に係止され、中間部１５５が軸受部１１６の周りに巻かれて配された捩りコイルばね１５６からなる。
【００４９】
禁止手段２２は、捩りコイルばね１５６の弾性力に抗してアーム部材１０２がＤ方向に回動され、揺動自在部材１２３がコイルばね１３２の弾性力によりＧ方向に付勢され、アーム部１２７がストッパ突起１２５に当接されて、板状部１２６の側面にＬ形状部１１７の一端１０３を当接させている際には、捩りコイルばね１４５の弾性力と共に爪部材１０１をラチェット歯４６に係合させて、この係合により巻き取りドラム６のＲ方向の回転を禁止するようにしている。
【００５０】
解除手段２３は、本例では、操作ハンドル５１の把持部７２からなり、操作ハンドル５１が折り畳まれた際に、ハンドル部７０の他端部７１がＰ方向に押圧されることにより、把持部７２は、板状部１２６に当接して、図１０及び図１１に示すように、揺動自在部材１２３をＥ方向に揺動させるようになっている。
【００５１】
解除手段２３は、把持部７２のＰ方向の押圧で揺動自在部材１２３をＥ方向に揺動させることにより、板状部１２６の側面へのＬ形状部１１７の一端１０３の当接を解除して、アーム部材１０２のＣ方向の回動を許容するようになっている。
【００５２】
解除手段２３の作動で、アーム部材１０２のＣ方向の回動が許容されると、アーム部材１０２は、捩りコイルばね１５６の弾性力により図９及び図１１に示すようにＣ方向に回動されて、これにより爪部材１０１のラチェット歯４６への係合が解除されて、この係合解除により巻き取りドラム６のＲ方向の回転が許容されるようになる。
【００５３】
制動手段２４は、鍔部３８の歯４５に噛み合うようにして、中間基板２９に回転自在に支持された歯車１６１と、歯車１６１に噛み合うピニオン１６２を一体的に有して、一端部１６３で中間基板２９に、他端部（図示しない）で基台２６に回転自在に支持された軸部材１６５と、軸部材１６５に径方向に突出して形成された複数の突起１６６の夫々に、径方向に移動自在に装着された制動部材１６７と、各制動部材１６７の外周部の溝１６８に装着されて各制動部材１６７の周囲を取り囲み、各制動部材１６７を軸部材１６５に向かって弾性的に付勢する伸縮自在な環状のガータスプリング（図示しない）と、基台２６に一体的に形成された円筒部１５４とを具備しており、各制動部材１６７は、円筒部１５４に囲まれて配されている。
【００５４】
制動手段２４は、歯車１６１の回転でピニオン１６２を介して軸部材１６５が回転されることにより、制動部材１６７に遠心力を与えて、一定以上の大きさの遠心力により制動部材１６７を図示しないガータスプリングの弾性力に抗して径方向の外側に移動させて、制動部材１６７の外周面を円筒部１５４の内周面に摩擦接触させて、制動部材１６７の回転、すなわち歯車１６１の回転に制動を与えるようになっている。
【００５５】
制動手段２４のこの制動作用により、巻き取りドラム６のＲ方向の回転におけるその回転速度を抑えて、障子３の窓枠１２への激突を防止するようにしている。
【００５６】
復帰手段２５は、Ｌ形状部１１８の一辺部１２０に一体に形成された突起１８１と、ハンドル基部６６の中間部７６に一体に形成された突起１８２とを具備しており、図１０及び図１１に示すように、揺動自在部材１２３がＥ方向に揺動された状態で、障子３を閉じるべく操作ハンドル５１がＦ方向に回転されることにより、突起１８２を突起１８１に当接させて突起１８１を蹴り上げ、而して、アーム部材１０２をＤ方向に回動させて図３、図４及び図５に示す位置に復帰させる。
【００５７】
以上の窓開閉操作装置１では、折り畳み解除された状態で操作ハンドル５１がＦ方向に把持部７２を介して手動により回転されることにより、捩りコイルばね１４５の弾性力に抗する爪部材１０１の揺動を伴うラチェット歯４６と爪部材１０１との断続的な係合、非係合により、巻き取りドラム６が同じくＦ方向に回転される結果、ワイヤ４が巻き取りドラム６に巻き取られて、而して、ガスステイ２のガス圧等に抗して障子３を閉鎖することができる。
【００５８】
完全閉鎖後又は閉鎖途中で、操作ハンドル５１へのＦ方向の回転力の付与を停止すると、ラチェット歯４６への爪部材１０１の係合により、巻き取りドラム６のＲ方向の回転が阻止され、障子３の完全閉鎖又は半開きが維持される。
【００５９】
また、窓開閉操作装置１では、操作ハンドル５１が折り畳み解除された状態で、ハンドル部７０が更にＰ方向に押されると、図９、図１０及び図１１に示すように、揺動自在部材１２３がＥ方向に揺動され、板状部１２６の側面へのＬ形状部１１７の一端１０３の当接が解除され、アーム部材１０２のＣ方向の回動が許容され、アーム部材１０２が捩りコイルばね１５６の弾性力によりＣ方向に回動されて、これにより爪部材１０１のラチェット歯４６への係合が解除されて、この係合解除により巻き取りドラム６のＲ方向の回転が許容され、以後、巻き取りドラム６は、ワイヤ４を介するガスステイ２のガス圧等によりＲ方向に回転され、巻き取りドラム６からワイヤ４が繰り出され、障子３が完全開放されると、図示しないストッパに障子３が当接して、ワイヤ４の繰り出しが停止され、巻き取りドラム６のＲ方向の回転が停止される。
【００６０】
そして、窓開閉操作装置１では、巻き取りドラム６のＲ方向の回転が速くなると、制動部材１６７の外周面の円筒状部１５４の内周面への摩擦接触が生じて、巻き取りドラム６のＲ方向の回転に制動を与えて、障子３の図示しないストッパへの激突を避けるようになっており、また、操作ハンドル５１が折り畳まれた状態では、爪８２の歯４７への係合が解除されているために、巻き取りドラム６のＲ方向の回転においては、操作ハンドル５１が回転しないようになっている。
【００６１】
上記のように窓開閉操作装置１では、巻き取りドラム６を回転させる回転手段２１を具備し、復帰手段２５がアーム部材１０２の他端に設けられた突起１８１と、回転手段２１による巻き取りドラム６の回転の際に、突起１８１への当接によりアーム部材１０２をＤ方向に回動させるように、回転手段２１に設けられた突起１８２とを具備しているために、操作ハンドル５１の紛失等を生じさせることがなく、操作ハンドル５１の飛び出しを避けることができ、しかも、巻き取りドラム６のＲ方向の回転を禁止する禁止手段２２をスムーズに元に復帰させることができる上、単一の爪部材１０１のラチェット歯４６への係合、非係合により、巻き取りドラム６のＲ方向の回転禁止、解除を行い得るために、設計、調整を簡単に行い得る。
【００６２】
更に窓開閉操作装置１では、巻き取りドラム６のＦ方向の回転においても、爪部材１０１とラチェット歯４６との断続的な係合を確保できるために、巻き取りドラム６をＦ方向に回転させるための回転力の回転手段２１への付与を停止しても、直ちに巻き取りドラム６のＲ方向の回転を禁止できる。
【００６３】
また更に窓開閉操作装置１では、制動手段２４により、障子３の開放を制御された速度にでき、障子３の最大開放におけるストッパ部材への激突を避けることができ、障子３及びその硝子並びにストッパ部材等の損壊を好ましく防止できる。
【００６４】
加えて窓開閉操作装置１では、自動解除付き回転伝達手段５２を具備しているために、操作ハンドル５１の折り畳みにより、操作ハンドル５１と巻き取りドラム６との連結を自動的に解除でき、操作指の操作ハンドル５１への巻き込み等を生じさせない安全なものを提供することができ、しかも、実質的にハンドル基部６６に自動解除付き回転伝達手段５２を収容でき、折り畳まれた操作ハンドル５１の厚みを薄くでき、コンパクトな操作ハンドル５１を有したものとし得る。
【００６５】
加えて、操作ハンドル５１を折り畳んで初めて解除手段２３を作動できるようになる結果、自動解除付き回転伝達手段５２と相俟って、更に安全なものとすることができる。
【００６６】
【発明の効果】
本発明によれば、設計、調整が容易であって、しかも、コスト低減を図り得、その上、巻き取りドラムの逆転を禁止する禁止手段をスムーズに元に復帰させることができ、また、操作ハンドルの紛失等を生じさせることがない上に、操作ハンドルの折り畳みにより、操作ハンドルと巻き取りドラムとの連結を自動的に解除でき、操作ハンドルの飛び出し又は操作指の操作ハンドルへの巻き込み等を生じさせない安全な窓開閉操作装置を提供することができる。
【図面の簡単な説明】
【図１】本発明の好ましい一実施の形態の図２に示す例の分解説明図である。
【図２】本発明の好ましい一実施の形態の例の断面図である。
【図３】図２の例のカバーを取り除いた正面図である。
【図４】図２の例のカバー及び中間基板等を取り除いた正面図である。
【図５】図２の例のカバー及び中間基板等を取り除いた正面図である。
【図６】図５のＶＩ−ＶＩ線断面図である。
【図７】図５のＶＩＩ−ＶＩＩ線断面図である。
【図８】図２の例の操作ハンドルを排煙窓に適用した例の説明図である。
【図９】図２の例の動作説明図である。
【図１０】図２の例の動作説明図である。
【図１１】図２の例の動作説明図である。
【符号の説明】
１  窓開閉操作装置
２  ガスステイ
３  障子
４  ワイヤ
６  巻き取りドラム
２１  回転手段
２２  禁止手段
２３  解除手段
２５  復帰手段
【図１】
0004138105.tif 000002
【図２】
0004138105.tif 000003
【図３】
0004138105.tif 000004
【図４】
0004138105.tif 000005
【図５】
0004138105.tif 000006
【図６】
0004138105.tif 000007
【図７】
0004138105.tif 000008
【図８】
0004138105.tif 000009
【図９】
0004138105.tif 000010
【図１０】
0004138105.tif 000011
【図１１】
0004138105.tif 000012